(57)【要約】      （修正有）【課題】ＬＥＤ素子から照射された照射光によってなるべく広範囲を照射することができると共に、ＬＥＤ基板に複数のＬＥＤ素子を複数列で設けた場合でも横幅を狭くすることができるＬＥＤライトを提供する。【解決手段】ＬＥＤ基板１４に設けられた複数のＬＥＤ素子１４ａが発光して光を照射するＬＥＤライトであって、ＬＥＤ基板１４は山の両側の傾斜面を構成するように傾斜して、少なくとも２枚設けられており、傾斜したＬＥＤ基板１４に設けられた複数のＬＥＤ素子１４ａは少なくとも２方向を向き、斜めに広がるように光を照射する。【選択図】図５
0003211940.tif 000002
【実用新案登録請求の範囲】
【請求項１】
ＬＥＤ基板に設けられた複数のＬＥＤ素子が発光して光を照射するＬＥＤライトであって、
前記ＬＥＤ基板は山の両側の傾斜面を構成するように傾斜して設けられており、傾斜した前記ＬＥＤ基板に設けられた前記複数のＬＥＤ素子は少なくとも２方向を向き、斜めに広がるように光を照射することを特徴とするＬＥＤライト。
【請求項２】
請求項１記載のＬＥＤライトにおいて、
前記ＬＥＤ基板は、少なくも２枚設けられ、その少なくとも２枚の各ＬＥＤ基板には、それぞれ、長手方向に列をなすように所定間隔で複数のＬＥＤ素子が設けられており、
前記２枚の各ＬＥＤ基板は、それぞれ、当該ＬＥＤライトに固定された山形状の断面形状を有するＬＥＤ基板取付架台の各傾斜面に取付けられることを特徴とするＬＥＤライト。
【請求項３】
請求項２記載のＬＥＤライトにおいて、
前記複数のＬＥＤ素子に電流を供給する電池が収容されると共に、スイッチが設けられた胴体部と、
前記胴体部から延びて設けられた長尺形状のライト取付け板と、
前記ライト取付け板に取付けられ、前記ＬＥＤ基板取付架台を収容するＬＥＤ基板架台収容体とを有し、
当該ＬＥＤ基板架台収容体は、
下面側が前記胴体部に対向する一方、上面側に前記ＬＥＤ基板取付架台が取り付けられる底板部と、前記底板部の左右両側から立上り、複数のＬＥＤ素子が発光する光を拡散する拡散レンズ部とを有しており、
前記ＬＥＤ基板取付架台の各傾斜面同士が交差する頂点の裏側には、前記ＬＥＤ基板取付架台を当該ＬＥＤライトにネジで固定するためのネジ溝が形成され、当該ＬＥＤ基板取付架台は、前記ライト取付け板および前記ＬＥＤ基板架台収容体の底板部を貫通したネジ先端部が前記ネジ溝に螺合することによって前記ＬＥＤ基板架台収容体に固定されることを特徴とするＬＥＤライト。
【請求項４】
請求項３記載のＬＥＤライトにおいて、
前記ＬＥＤ基板架台収容体は、中空で、かつ、上端および下端開口で形成されており、
前記ＬＥＤ基板架台収容体における底板部両側と拡散レンズ部両側との接合部分の内側には、当該ＬＥＤ基板架台収容体の長手方向に延びる案内溝が形成されている一方、
前記ＬＥＤ基板取付架台の各傾斜面の下端部には、それぞれ、前記案内溝に嵌ってその長手方向にスライドされるスライド用凸部が設けられており、当該前記ＬＥＤ基板取付架台は両側の前記スライド用凸部をそれぞれ前記ＬＥＤ基板架台収容体両側の案内溝に案内させて当該ＬＥＤ基板架台収容体の上端または下端の開口部から挿入してスライドさせることにより当該ＬＥＤ基板架台収容体内に収容可能であることを特徴とするＬＥＤライト。
【考案の詳細な説明】
【技術分野】
【０００１】
本考案は、ＬＥＤ基板に設けられた複数のＬＥＤ素子が発光して光を照射するＬＥＤライトに関する。
【背景技術】
【０００２】
最近は、電球式の懐中電灯（ハンドライト）に代わりに、省電力で長寿命のＬＥＤ素子が発光して光を照射するＬＥＤライトが主流になりつつある（例えば、特許文献１参照。）。ＬＥＤライトでは、ＬＥＤ素子１個当りの照度は小さいため、複数のＬＥＤ素子を設けたＬＥＤ基板を使用して、電球と同等の照度を確保するようにしている。
【先行技術文献】
【特許文献】
【０００３】
【特許文献１】実用新案登録第３１８２４６４号公報
【考案の概要】
【考案が解決しようとする課題】
【０００４】
しかし、ＬＥＤ素子から照射された照射光は直進性が高いものの、上述の先行技術文献のＬＥＤライトでは、平板状のＬＥＤ基板に複数のＬＥＤ素子を設けていたため、狭いエリアしか照射できないという問題があった。
【０００５】
また、ＬＥＤ基板に複数のＬＥＤ素子を複数列で設けた場合、横幅が大きくなるため、自動車のエンジンルーム内等の空間が狭い場所で使用する場合には、ＬＥＤライトを挿入できない場合があり、不便であるという問題もあった。
【０００６】
そこで、本考案はこのような問題点に鑑みなされたもので、ＬＥＤ素子から照射された照射光によってなるべく広範囲を照射することができると共に、ＬＥＤ基板に複数のＬＥＤ素子を複数列で設けた場合でも横幅を狭くすることができるＬＥＤライトを提供することを目的とする。
【課題を解決するための手段】
【０００７】
前記課題を解決するため、本考案のＬＥＤライトは、ＬＥＤ基板に設けられた複数のＬＥＤ素子が発光して光を照射するＬＥＤライトであって、前記ＬＥＤ基板は山の両側の傾斜面を構成するように傾斜して設けられており、傾斜した前記ＬＥＤ基板に設けられた前記複数のＬＥＤ素子は少なくとも２方向を向き、斜めに広がるように光を照射することを特徴とする。
ここで、前記ＬＥＤ基板は、少なくも２枚設けられ、その少なくとも２枚の各ＬＥＤ基板には、それぞれ、長手方向に列をなすように所定間隔で複数のＬＥＤ素子が設けられており、前記２枚の各ＬＥＤ基板は、それぞれ、当該ＬＥＤライトに固定された山形状の断面形状を有するＬＥＤ基板取付架台の各傾斜面に取付けられるように構成しても良い。
また、前記複数のＬＥＤ素子に電流を供給する電池が収容されると共に、スイッチが設けられた胴体部と、前記胴体部から延びて設けられた長尺形状のライト取付け板と、前記ライト取付け板に取付けられ、前記ＬＥＤ基板取付架台を収容するＬＥＤ基板架台収容体とを有し、当該ＬＥＤ基板架台収容体は、下面側が前記胴体部に対向する一方、上面側に前記ＬＥＤ基板取付架台が取り付けられる底板部と、前記底板部の左右両側から立上り、複数のＬＥＤ素子が発光する光を拡散する拡散レンズ部とを有しており、前記ＬＥＤ基板取付架台の各傾斜面同士が交差する頂点の裏側には、前記ＬＥＤ基板取付架台を当該ＬＥＤライトにネジで固定するためのネジ溝が形成され、当該ＬＥＤ基板取付架台は、前記ライト取付け板および前記ＬＥＤ基板架台収容体の底板部を貫通したネジ先端部が前記ネジ溝に螺合することによって前記ＬＥＤ基板架台収容体に固定されるように構成するとさらに良い。
また、前記ＬＥＤ基板架台収容体は、中空で、かつ、上端および下端開口で形成されており、前記ＬＥＤ基板架台収容体における底板部両側と拡散レンズ部両側との接合部分の内側には、当該ＬＥＤ基板架台収容体の長手方向に延びる案内溝が形成されている一方、前記ＬＥＤ基板取付架台の各傾斜面の下端部には、それぞれ、前記案内溝に嵌ってその長手方向にスライドされるスライド用凸部が設けられており、当該前記ＬＥＤ基板取付架台は両側の前記スライド用凸部をそれぞれ前記ＬＥＤ基板架台収容体両側の案内溝に案内させて当該ＬＥＤ基板架台収容体の上端または下端の開口部から挿入してスライドさせることにより当該ＬＥＤ基板架台収容体内に収容可能であるとさらに良い。
【考案の効果】
【０００８】
本考案に係るＬＥＤライトでが、複数のＬＥＤ素子が設けられたＬＥＤ基板を山の両側の傾斜面を構成するように傾斜して設けたため、傾斜したＬＥＤ基板に設けられた複数のＬＥＤ素子は少なくとも２方向を向き、斜めに広がるように光を照射するので、なるべく広範囲を照射することができる。
また、ＬＥＤ基板が山形状に傾斜して設けられることによってＬＥＤ基板に複数のＬＥＤ素子を複数列で設ける場合でも横幅を狭くすることができる。
その結果、例えば、自動車のエンジンルーム等の狭い隙間の箇所に差し入れて広範囲（広角）を照射することができ、使い勝手が向上し、便利である。
【図面の簡単な説明】
【０００９】
【図１】本考案に係る実施形態のＬＥＤライトの平面図である。
【図２】本考案に係る実施形態のＬＥＤライトの右側面図である。
【図３】本考案に係る実施形態のＬＥＤライトの底面図である。
【図４】図１におけるＡ−Ａ線断面図である。
【図５】図２におけるＢ−Ｂ線断面図である。
【図６】図２におけるＣ−Ｃ線断面図である。
【図７】図２におけるＤ−Ｄ線断面図である。
【図８】本考案に係る実施形態のＬＥＤライトにおけるＬＥＤ基板取付架台の表側を示す斜視図である。
【図９】本考案に係る実施形態のＬＥＤライトにおけるＬＥＤ基板取付架台の裏側を示す斜視図である。
【図１０】本考案に係る実施形態のＬＥＤライトにおけるＬＥＤ基板取付架台にＬＥＤ基板を装着した状態を示す斜視図である。
【考案を実施するための形態】
【００１０】
次に、本考案に係る実施形態のＬＥＤライト１について、図面を参照して説明する。
【００１１】
実施形態のＬＥＤライト１は、図１〜図６に示すように、ＬＥＤ基板１４に設けられた複数のＬＥＤ素子１４ａが発光して光を照射するＬＥＤ式で、かつ、充電式の懐中電灯、または携帯電灯、ないしはハンドライトであって、胴体部１１と、ライト取付け板１２と、ＬＥＤ基板架台収容体１３と、ＬＥＤ基板１４と、ＬＥＤ基板取付架台１５と、キャップ部１６等を備えて構成される。
【００１２】
（胴体部１１）
胴体部１１は、図６や図７等に示すように、ユーザが掴み易いように断面が角付きで扁平饅頭柱状の変形８角形または変形９角形に形成されており、複数のＬＥＤ素子１４ａへ電流を供給する充電池１１ａが収容されると共に、このＬＥＤライト１のオンまたはオフを制御する電源スイッチ１１ｂや、このＬＥＤライト１のオンまたはオフ状態等を示すＬＥＤの点灯または消灯状態により示す状態表示部１１ｃ、電源スイッチ１１ｂのオンまたはオフ動作に基づく複数のＬＥＤ素子１４ａの点灯や消灯等を制御する制御回路基板１１ｄと、蓋部１１ｅ等を備えて構成される。
【００１３】
胴体部１１の後端部には、図１〜図４等に示すように、充電池１１ａを充電するため、図示しない交流電源のコンセントが接続される電源接続部１１ｆも設けられている。ただし、本実施形態のＬＥＤライト１が乾電池式等の場合には、電源接続部１１ｆは省略できる。
【００１４】
（ライト取付け板１２）
ライト取付け板１２は、図１〜図４等に示すように、胴体部１１から延びて設けられた長尺で、図５等に示すように、後述するように約１２０度の角度で交差するようにＬＥＤ基板１４が取り付けられＬＥＤ基板取付架台１５が収容されるＬＥＤ基板架台収容体１３やキャップ部１６等が取り付けられるもので凹形状に形成されている。
【００１５】
（ＬＥＤ基板架台収容体１３）
ＬＥＤ基板架台収容体１３は、図５等に示すように、ＬＥＤ基板取付架台１５と共にライト取付け板１２にネジ１７等で固定され、２枚のＬＥＤ基板１４がほぼ１２０度の角度で交差する断面が山形状の傾斜面に装着されたＬＥＤ基板取付架台１５を内部に収容するもので、透明ないしは半透明のプラスチック等から構成され、中空で、かつ、上端および下端開口で構成されている。
【００１６】
つまり、ＬＥＤ基板架台収容体１３は、図５等に示すように、下面側が胴体部１１に対向する一方、上面側にＬＥＤ基板取付架台１５が固定される底板部１３ａと、底板部１３ａの左右両側から立上り、断面がドーム形状ないしは湾曲形状で、ＬＥＤ基板取付架台１５に装着された２枚のＬＥＤ基板１４の複数のＬＥＤ素子１４ａが発光する光を拡散する拡散レンズ部１３ｂとが一体で構成されている。
【００１７】
ここで、拡散レンズ部１３ｂは、ＬＥＤ基板１４に設けられた複数のＬＥＤ素子１４ａから発光された光を効率良く拡散するように乳白色の色が塗られていたり、あるいは表面が凸凹に粗く形成されている。
【００１８】
また、ＬＥＤ基板架台収容体１３における底板部１３ａ両側と、拡散レンズ部１３ｂ両側との接合部分の内側には、ＬＥＤ基板架台収容体１３の長手方向に延び、後述するＬＥＤ基板取付架台１５の端側凸部１５ｂ，１５ｂから突出するスライド用凸部１５ｂ１，１５ｂ１を案内する案内溝１３ｃ，１３ｃが形成されている
【００１９】
ＬＥＤ基板架台収容体１３の上端の開口部、すなわち図２や図４における図上右側の開口部は、図２や図４等に示すように、胴体部１１の蓋部１１ｅの下側に入り込んで閉塞するように構成されている。
【００２０】
一方、ＬＥＤ基板架台収容体１３の下端の開口部、すなわち図２や図４における図上左側の開口部は、図２や図４等に示すように、ライト取付け板１２先端に設けられるキャップ部１６の下側に入り込んで閉塞するように構成されている。
【００２１】
（ＬＥＤ基板１４）
２枚のＬＥＤ基板１４は、図１や図２、図４等に示すように、それぞれ、長尺形状であり、その長手方向に１列または複数列でＬＥＤ素子１４ａが所定間隔で複数設けられている。尚、本実施形態の２枚のＬＥＤ基板１４には、それぞれ、１列でＬＥＤ素子１４ａが所定間隔で複数（本実施形態では、説明の便宜上、６個設けているが、６個に限られるものではない。）設けられている。
【００２２】
（ＬＥＤ基板取付架台１５）
ＬＥＤ基板取付架台１５は、図５や図８、図９等に示すように、ほぼ山形状で約１２０度の角度で交差する２つの傾斜面１５ｄ１，１５ｄ１を有するＬＥＤ基板装着部１５ｄ，１５ｄにそれぞれＬＥＤ基板１４，１４を装着するもので、山形状の最も高い頂点を構成する中央の上側凸部１５ａと、山形状の最も低い両側の端点を構成する端側凸部１５ｂ，１５ｂと、端側凸部１５ｂ，１５ｂの間であって上側凸部１５ａの裏側から下方に向かって延びる下部凸部１５ｃとを有するもので、上側凸部１５ａと左右の端側凸部１５ｂ，１５ｂとの間に、それぞれ、傾斜面１５ｄ１，１５ｄ１を有するＬＥＤ基板装着部１５ｄ，１５ｄを設けている。
【００２３】
そのため、２枚のＬＥＤ基板１４，１４はそれぞれ約１２０度の角度で交差するＬＥＤ基板取付架台１５の傾斜面１５ｄ１，１５ｄ１に設けられるため、傾斜した２枚のＬＥＤ基板１４，１４それぞれに設けた複数のＬＥＤ素子１４ａが少なくとも２方向を向き、斜めに広がるように光を照射するので、図５に示すように１８０度以上の広範囲を照射することができる。
【００２４】
また、左右の端側凸部１５ｂ，１５ｂには、それぞれ、ＬＥＤ基板架台収容体１３の案内溝１３ｃ，１３ｃに嵌ってＬＥＤ基板架台収容体１３の長手方向に案内されるスライド用凸部１５ｂ１，１５ｂ１が設けられている。
【００２５】
そのため、ＬＥＤ基板取付架台１５がＬＥＤ基板取付架台１５両側のスライド用凸部１５ｂ１，１５ｂ１をそれぞれＬＥＤ基板架台収容体１３両側の案内溝１３ｃ，１３ｃに案内させてＬＥＤ基板架台収容体１３の上端または下端の開口部から挿入してスライドさせることにより、ＬＥＤ基板架台収容体１３内に収容することができる。
【００２６】
また、本実施形態のＬＥＤ基板取付架台１５には、図５等に示すように、左右の端側凸部１５ｂ，１５ｂとスライド用凸部１５ｂ１，１５ｂ１との間には、ほぼ三角形状の切欠部１５ｂ２，１５ｂ２が形成されている。
【００２７】
そのため、その切欠部１５ｂ２，１５ｂ２によってＬＥＤ基板取付架台１５の樹脂量を減らすことができると共に、左右のスライド用凸部１５ｂ１，１５ｂ１が端側凸部１５ｂ，１５ｂに対し撓み易くなるので、この点でも長尺のＬＥＤ基板取付架台１５やＬＥＤ基板１４であっても簡単にＬＥＤ基板架台収容体１３内に収容することができる。
【００２８】
また、各傾斜面１５ｄ１，１５ｄ１同士が交差する頂点である上側凸部１５ａの裏側となる下部凸部１５ｃには、ＬＥＤ基板取付架台１５をＬＥＤライト１にネジ１７で固定するため、ＬＥＤ基板取付架台１５の長手方向に延びるネジ溝１５ｃ１が形成されている。
【００２９】
そのため、図５等に示すように、ＬＥＤ基板取付架台１５は、胴体部１１から延びるライト取付け板１２およびＬＥＤ基板架台収容体１３の底板部１３ａのネジ孔を貫通したネジ１７の先端部がネジ溝１５ｃ１に螺合してＬＥＤ基板架台収容体１３に固定されるので、ＬＥＤ基板架台収容体１３の長手方向にＬＥＤ基板取付架台１５の多少の位置ずれがあったとしても、簡単にＬＥＤ基板取付架台１５を取り付けることができる。
【００３０】
また、ネジ溝１５ｃ１は、各傾斜面１５ｄ１，１５ｄ１同士が交差する頂点である上側凸部１５ａの裏側となる下部凸部１５ｃに設けられているので、図５等に示すようにネジ１７が螺合する十分な長さを確保することができる。
【００３１】
そのため、ライト取付け板１２およびＬＥＤ基板架台収容体１３の底板部１３ａを貫通して突出したネジ１７の先端部をＬＥＤ基板取付架台１５の表面側から突出させずに、ＬＥＤ基板取付架台１５裏側のネジ溝１５ｃ１に対し十分な長さで螺合することができる。
【００３２】
さらに本実施形態のＬＥＤ基板取付架台１５では、下部凸部１５ｃと左右の端側凸部１５ｂ，１５ｂとの間にも、ほぼ三角形状の切欠部１５ｃ２，１５ｃ２を形成している。
【００３３】
そのため、その切欠部１５ｃ２，１５ｃ２によってＬＥＤ基板取付架台１５の樹脂量を減らすことができると共に、下部凸部１５ｃのネジ溝１５ｃ１両側の側壁部が広がり易くなるので、胴体部１１から延びるライト取付け板１２およびＬＥＤ基板架台収容体１３の底板部１３ａのネジ孔を貫通したネジ１７の先端部をネジ溝１５ｃ１に簡単かつ確実に螺合して、ＬＥＤ基板取付架台１５を固定することができる。
【００３４】
以上説明したように、本実施形態のＬＥＤライト１によれば、ＬＥＤ基板１４は山形状で約１２０度の角度で交差する傾斜面１５ｄ１，１５ｄ１を有するＬＥＤ基板取付架台１５のＬＥＤ基板装着部１５ｄ，１５ｄに設けたため、傾斜した２枚のＬＥＤ基板１４，１４それぞれに設けた複数のＬＥＤ素子１４ａが少なくとも２方向を向き、斜めに広がるように光を照射する。
【００３５】
そのため、本実施形態のＬＥＤライト１によれば、複数のＬＥＤ素子１４ａから照射された照射光によってなるべく広範囲を照射することができ、使用勝手を向上させることができる。
【００３６】
特に、本実施形態のＬＥＤライト１では、２枚のＬＥＤ基板１４，１４が山形状に傾斜して設けられているため、２枚のＬＥＤ基板１４，１４によって複数のＬＥＤ素子１４ａを複数列で設ける場合でも、ＬＥＤ基板取付架台１５の横幅が小さくなるので、ＬＥＤライト１全体、特に、ライト取付け板１２やライト取付け板１２の横幅を細くすることができる。
【００３７】
その結果、例えば、自動車のエンジンルーム等の狭い隙間の箇所に差し入れて広範囲（広角）を照射することが可能となり、自動車整備工場等における使い勝手が向上し、自動車整備等の空間が狭い場所で使用する際、非常に便利である。
【００３８】
また、本実施形態のＬＥＤライト１では、ＬＥＤ基板架台収容体１３は、下面側が胴体部１１に対向する一方、上面側にＬＥＤ基板取付架台１５が取り付けられる底板部１３ａと、底板部１３ａの左右両側から立上り、複数のＬＥＤ素子１４ａが発光する光を拡散する拡散レンズ部１３ｂとが一体で構成されており、ＬＥＤ基板取付架台１５は、胴体部１１のライト取付け板１２およびＬＥＤ基板架台収容体１３の底板部１３ａを貫通したネジ先端部が、ＬＥＤ基板架台収容体１３の長手方向に延びるネジ溝１５ｃ１に螺合することによってＬＥＤ基板架台収容体１３に固定される。
【００３９】
そのため、本実施形態のＬＥＤライト１によれば、ＬＥＤ基板取付架台１５は、胴体部１１から延びるライト取付け板１２の長手方向に対し多少の位置ずれがあったとしても、ＬＥＤ基板取付架台１５の長手方向に延びるように形成されたネジ溝１５ｃ１によってその位置ずれを吸収できるので、ＬＥＤ基板取付架台１５をライト取付け板１２およびＬＥＤ基板架台収容体１３に簡単に取り付けることができる。
【００４０】
特に、本実施形態のＬＥＤライト１では、ネジ溝１５ｃ１は、各傾斜面１５ｄ１，１５ｄ１同士が交差する頂点である上側凸部１５ａの裏側となる下部凸部１５ｃに設けられているので、図５等に示すようにネジ１７が螺合する十分な長さを確保することができる。
【００４１】
そのため、ライト取付け板１２およびＬＥＤ基板架台収容体１３の底板部１３ａを貫通して突出するネジ１７先端が、ＬＥＤ基板取付架台１５の表面側から突出せずに、ＬＥＤ基板取付架台１５裏側のネジ溝１５ｃ１に対し十分な長さで螺合することが可能となるので、ＬＥＤ基板１４，１４が固定されたＬＥＤ基板取付架台１５をＬＥＤ基板架台収容体１３等に強固かつ確実に取付けることができる。
【００４２】
また、本実施形態のＬＥＤライト１では、ネジ溝１５ｃ１が形成される下部凸部１５ｃの両側には切欠部１５ｃ２，１５ｃ２が形成されているため、その切欠部１５ｃ２，１５ｃ２によってＬＥＤ基板取付架台１５の樹脂量を減らすことができると共に、下部凸部１５ｃのネジ溝１５ｃ１両側の側壁部が広がり易くなるので、胴体部１１から延びるライト取付け板１２およびＬＥＤ基板架台収容体１３の底板部１３ａのネジ孔を貫通したネジ１７の先端部をネジ溝１５ｃ１に簡単かつ確実に螺合して、ＬＥＤ基板取付架台１５を固定させることができる。
【００４３】
また、本実施形態のＬＥＤライト１では、ＬＥＤ基板架台収容体１３における底板部１３ａ両側と拡散レンズ部１３ｂ両側との接合部分の内側には、ＬＥＤ基板架台収容体１３の長手方向に延びる案内溝１３ｃ，１３ｃが形成されている一方、ＬＥＤ基板取付架台１５の各傾斜面１５ｄ１，１５ｄ１の下端部には、それぞれ、案内溝１３ｃ，１３ｃに嵌ってその長手方向にスライドされるスライド用凸部１５ｂ１，１５ｂ１を設けたため、ＬＥＤ基板取付架台１５両側のスライド用凸部１５ｂ１，１５ｂ１をそれぞれＬＥＤ基板架台収容体１３両側の案内溝１３ｃ，１３ｃに案内させてＬＥＤ基板架台収容体１３の上端または下端の開口部から挿入してスライドさせることにより、ＬＥＤ基板架台収容体１３内に収容することができる。
【００４４】
その結果、本実施形態のＬＥＤライト１によれば、長尺のＬＥＤ基板取付架台１５やＬＥＤ基板１４であっても簡単にＬＥＤ基板架台収容体１３内に収容することができる。
【００４５】
特に、本実施形態のＬＥＤライト１では、左右の端側凸部１５ｂ，１５ｂとスライド用凸部１５ｂ１，１５ｂ１との間には、ほぼ三角形状の切欠部１５ｂ２，１５ｂ２を設けたため、左右のスライド用凸部１５ｂ１，１５ｂ１が端側凸部１５ｂ，１５ｂに対し撓み易くなり、この点でも長尺のＬＥＤ基板取付架台１５やＬＥＤ基板１４であっても簡単にＬＥＤ基板架台収容体１３内に収容することができる。
【００４６】
尚、以上の実施形態のＬＥＤライト１では、充電池１１ａを内蔵して説明したが、本考案ではこれに限らず、充電池１１ａでない乾電池でも良いし、電池を内蔵せず、ＡＣ電源等に電源コードを繋いで点灯させるＬＥＤライトでも勿論良い。
【符号の説明】
【００４７】
１  ＬＥＤライト
１１  胴体部
１１ａ  充電池
１１ｂ  電源スイッチ
１１ｃ  状態表示部
１１ｄ  制御回路基板
１１ｅ  蓋部
１１ｆ  電源接続部
１２  ライト取付け板
１３  ＬＥＤ基板架台収容体
１３ａ  底板部
１３ｂ  拡散レンズ部
１３ｃ，１３ｃ  案内溝
１４  ＬＥＤ基板
１５  ＬＥＤ基板取付架台
１５ａ  上側凸部
１５ｂ，１５ｂ  端側凸部
１５ｂ１，１５ｂ１  スライド用凸部
１５ｂ２，１５ｂ２  切欠部
１５ｃ  下部凸部
１５ｃ１  ネジ溝
１５ｃ２，１５ｃ２  切欠部
１５ｄ，１５ｄ  ＬＥＤ基板装着部
１５ｄ１，１５ｄ１  傾斜面
１６  キャップ部
１７  ネジ
【図１】
0003211940.tif 000003
【図２】
0003211940.tif 000004
【図３】
0003211940.tif 000005
【図４】
0003211940.tif 000006
【図５】
0003211940.tif 000007
【図６】
0003211940.tif 000008
【図７】
0003211940.tif 000009
【図８】
0003211940.tif 000010
【図９】
0003211940.tif 000011
【図１０】
0003211940.tif 000012